(57)【要約】【課題】機内排気ファンの他に、定着部の排熱を行う定着部排気ファンを更に設け、該定着部排気ファンを待機時のみに稼動させ、定着部からの熱で機内の温度を上げないようにする。【解決手段】定着ユニット１からの熱は機内排気ファン１０によって排熱され、機内での温度上昇を押える働きをしているが、待機時になると騒音値を稼動時よりも低くする必要があり機内排気ファン１０の風量を落とす必要がある。そのため、機内排気ファン１０だけでは熱源となる定着ユニット１からの排熱を十分に行うことができない。また、稼動時には定着部排気ファン１２を稼動させると定着ユニット１の蓄熱が十分に行えなくなるために、該定着部排気ファン１２は稼動させない。このように、稼動時と待機時とで排気するファンを分けることで、機内からの効率的な排熱を行うとともにより静音化を図ることができる。【選択図】図１
2006243463.tif 000002
【特許請求の範囲】
【請求項１】
機内全体の排熱を行う機内排気ファンと、定着部の排熱を行う定着部排気ファンとを有し、稼動時及び待機時に、前記機内排気ファン及び定着部排気ファンとが、それぞれに応じて駆動されることを特徴とする画像形成装置。
【請求項２】
前記定着部排気ファンは前記機内における要冷却部での温度に応じて排気制御されることを特徴とする請求項１記載の画像形成装置。
【請求項３】
前記要冷却部での温度が一定時間を経過しても基準値を超えたままの場合には、前記機内排気ファン及び定着部排気ファンのすべての排気ファンを稼動させることを特徴とする請求項１又は２記載の画像形成装置。
【発明の詳細な説明】
【技術分野】
【０００１】
本発明は、画像形成装置、より詳細には、複写機、プリンタ、ＦＡＸ等の画像形成装置の発熱部（定着部）に適用して好適な排気装置に関する。
【背景技術】
【０００２】
図５は、本発明が適用される画像形成装置の一例を説明するための要部概略構成図で、図中、１は定着ユニット、２は排紙ユニット、３は現像ユニット、４は両面記録ユニット、５は搬送ベルト、６は転写ユニット、７は給紙ユニット、８は読取ユニット、９はポリゴンモータ、１０は機内排気ファン、１１は温度センサーで、定着ユニット（発熱部）１から発生した熱は排気ファン１０によって排熱され、機内での温度上昇を押える働きをしている。しかし、待機時になると、騒音値を稼動時よりも低くする必要があり、機内排気ファン１０の風量を落とすことになる。機内排気ファン１０では、熱源となる定着ユニット１からの熱だけを排熱するのではなく、機内全体を排熱させるために稼動するため、機内排気ファン１０だけでは定着ユニット１の排熱に対して排熱効率が悪い。
【発明の開示】
【発明が解決しようとする課題】
【０００３】
上述のように、画像形成装置には画像を用紙に定着させるための定着装置があるが、この定着装置は大量の熱を発生させて、画像形成（定着）を行う。画像形成（定着）時には熱量が必要であるが、待機時には騒音を低くする必要があり、稼動時に比べて排気ファンの風量を落とす必要があり、それによって、定着部での熱によって機内温度を上昇させてしまい、現像部やトナー部（要冷却部）の温度が高くなってしまう。
【０００４】
機内排気ファン１０は定着部からの排熱だけでなく、機内全体の排熱をするために働いているので、定着部からの熱を排熱するのには効率が悪く、より排熱しようとすると、排気ファンの風量を上げてしまい、騒音値が規格値よりも高くなってしまう。
【０００５】
本発明は、上述のごとき実情に鑑みてなされたもので、前記機内排気ファンの他に、定着部の排熱を行う定着部排気ファンを別に設け、該定着部排気ファンを待機時のみに稼動させ、定着部からの熱で機内の温度を上げないようにすることを目的としてなされたものである。
【０００６】
また、現像部やトナー部（要冷却部）では高温になると、その特性を満足できなくなることがあり、特に、待機時において基準温度を超えた場合には、騒音値の規格を満たすように排気ファンの稼動を制御し、定着部からの熱で要冷却部の温度を上げないようにすることを目的としてなされたものである。
【０００７】
更には、待機時において、現像部やトナー部での温度が一定時間が過ぎても基準値を下回らない場合には、全ての排気ファンを稼動させ、熱による機械への損害を与えないようにすることを目的としてなされたものである。
【課題を解決するための手段】
【０００８】
請求項１の発明は、機内全体の排熱を行う機内排気ファンと、定着部の排熱を行う定着部排気ファンとを有し、稼動時及び待機時に、前記機内排気ファン及び定着部排気ファンとがそれぞれに応じて駆動されることを特徴としたものである。
【０００９】
請求項２の発明は、請求項１の発明において、前記定着部排気ファンは前記機内における要冷却部での温度に応じて排気制御されることを特徴としたものである。
【００１０】
請求項３の発明は、請求項１又は２の発明において、前記要冷却部での温度が一定時間を経過しても基準値を超えたままの場合には、前記機内排気ファン及び定着部排気ファンのすべての排気ファンを稼動させることを特徴としたものである。
【発明の効果】
【００１１】
請求項１の発明による作用効果
定着ユニットからの熱は機内排気ファンによって排熱され、機内での温度上昇を押える働きをしているが、待機時になると騒音値を稼動時よりも低くする必要があり、機内排気ファンの風量を落とす必要がある。そのため、機内排気ファンだけでは熱源となる定着ユニットからの排熱が十分ではない。また、稼動時に、定着部排気ファンを稼動させると定着ユニットの蓄熱が十分に行えなくなるため、稼動時には定着部排気ファンは稼動させない。そのため、稼動時と待機時とで排熱するファンを分けることで、機内からの効率的な排熱を行うとともに、より静音化を図ることができる。
【００１２】
請求項２の発明による作用効果
現像ユニットに設けた温度センサーが基準値を超えた場合には、現像ユニットが壊れないように、定着部排気ファンと機内排気ファンのそれぞれを稼動させるように制御することで、機内からの効率的な排熱を行うとともに、より静音化を図ることができる。
【００１３】
請求項３による作用効果
現像ユニットに設けた温度センサーが基準値を超えた場合には、現像ユニットが壊れないように、定着部排気ファンと機内排気ファンのそれぞれを稼動させるが、一定時間経過しても、温度センサーで基準値を下回らない場合には、機内排気ファン、定着部排熱ファンをフル稼働させて、機械に大きなダメージを与えないようにする。
【発明を実施するための最良の形態】
【００１４】
図１は、本発明による画像形成装置の一実施例を説明するための要部概略構成図で、図中、１２は本発明によって付加された定着部排気ファンである。その他は、図５に示した従来の画像形成装置と同じであり、図５に示した画像形成装置と同様の作用をする部分には図５の場合と同一の参照番号を付して、その詳細な説明は省略する。
【００１５】
図２は、本発明による画像形成装置の一実施例を示す図で、図１に示した画像形成装置における定着ユニット１と、排紙ユニット２と、本発明によって付加された定着部排気ファン１２との関係を示す。前述のように、定着ユニット１から発生した熱は排気ファン１０によって排熱され、機内での温度上昇を押える働きをしているが、待機時になると騒音値を稼動時よりも低くする必要があり、排気ファン１０の風量を落とすことになる。排気ファン１０では熱源となる定着ユニット１からの熱だけを排熱するのではなく、機内全体を排熱させるために稼動する。定着ユニット１の排熱に対して排気ファン１０だけでは排熱効率が悪いので、待機時には、本発明によって付加された定着部排気ファン１２を稼動させ、定着ユニット１から出る熱を排熱する（図２中に、排熱空気の流れを矢印にて示す）。また、稼動時には定着部ユニット１の蓄熱のために定着部排気ファン１２は稼動させない。
【００１６】
図３は、本発明による画像形成装置の一動作例を説明するためのフロー図で、画像形成装置は、通常は、機内排気ファン１０のみで機内の排熱を行っているが、現像ユニット３に設けてある温度センサー１１の温度ＴＳが基準値ＴＫを超えた場合には、現像ユニット３が壊れないように、定着部排気ファン１２を稼動するように制御し、機内排気ファン１０を稼動させながらも、騒音値の規格以下になるように定着部排気ファン１２を稼動させる。
【００１７】
図４は、本発明による画像形成装置の他の動作例を説明するためのフロー図で、現像ユニット３に設けてある温度センサー１１の温度ＴＳが基準値ＴＫを超え超えた場合には、現像ユニット３が壊れないように、定着部排気ファン１２を稼動するように制御し、機内排気ファン１０を稼動させながらも、騒音値の規格以下になるように定着部排気ファン１２を稼動させる。しかし、一定時間（ｔ[ｓ]以上）経過しても、温度センサー１１での温度ＴＳが基準値ＴＫを下回らない場合には、機内排気ファン１０、定着部排気ファン１２もフル稼働させる。
【図面の簡単な説明】
【００１８】
【図１】本発明による画像形成装置の一実施例を示す全体概略構成図である。
【図２】本発明による画像形成装置を説明するための要部構成概略図である。
【図３】本発明による画像形成装置の一動作例を説明するためのフロー図である。
【図４】本発明による画像形成装置の他の動作例を説明するためのフロー図である。
【図５】本発明が適用される画像形成装置の一例を説明するための要部概略構成図である。
【符号の説明】
【００１９】
１…定着ユニット、２…排紙ユニット、３…現像ユニット、４…両面記録ユニット、５…搬送ベルト、６…転写ユニット、７…給紙ユニット、８…読取ユニット、９…ポリゴンモータ、１０…機内排気ファン、１１…温度センサー、１２…定着部排気ファン。
【図１】
2006243463.tif 000003
【図２】
2006243463.tif 000004
【図３】
2006243463.tif 000005
【図４】
2006243463.tif 000006
【図５】
2006243463.tif 000007